(57)【要約】【課題】リントフィルタで捕獲したリントを十分に除去することができ、乾燥性能の低下を防止することができるドラム式洗濯乾燥機を提供する。【解決手段】内部に衣類を収容する乾燥室１４と、乾燥室１４に設けられた吸気口１０及び排気口１１を連結する循環風路２０と、乾燥室１４内の空気を循環風路２０を通して循環させる送風手段３６と、循環風路２０内を流れる空気の除湿を行う除湿手段３４と、循環風路２０内の空気を加熱する加熱手段３５と、循環風路２０内を流れるリントを捕獲する面状のリントフィルタ５８と、リントフィルタ５８を清掃する清掃手段６０ａ，６０ｂと、リントフィルタ５８で捕獲したリントを清掃手段６０ａ，６０ｂが回収するようにリントフィルタ５８を清掃手段６０ａ，６０ｂに対して移動させる駆動機構６２とを備えることを特徴とする。【選択図】        図６
2015002847.tif 000002
【特許請求の範囲】
【請求項１】
内部に衣類を収容する乾燥室と、
前記乾燥室に設けられた吸気口及び排気口を連結する循環風路と、
前記乾燥室内の空気を前記循環風路を通して循環させる送風手段と、
前記循環風路内を流れる空気の除湿を行う除湿手段と、
前記循環風路内の空気を加熱する加熱手段と、
前記循環風路内を流れるリントを捕獲する面状のリントフィルタと、
前記リントフィルタを清掃する清掃手段と、
前記リントフィルタで捕獲したリントを前記清掃手段が回収するように前記リントフィルタを前記清掃手段に対して移動させる駆動機構とを備えることを特徴とするドラム式洗濯乾燥機。
【請求項２】
前記リントフィルタは、前記駆動機構による移動方向に繋がった環状に設けられ、
前記清掃手段は、前記リントフィルタに摺接するブラシを備え、前記リントフィルタの移動により前記ブラシが前記リントフィルタで捕獲したリントを掻き取ることを特徴とする請求項１に記載のドラム式洗濯乾燥機。
【請求項３】
前記駆動機構がモータを備え、前記モータの動力により前記リントフィルタを移動させることを特徴とする請求項２に記載のドラム式洗濯乾燥機。
【請求項４】
前記除湿手段と前記加熱手段と前記送風手段を動作させる乾燥運転を実行する都度、前記モータを駆動して前記リントフィルタを移動させることを特徴とする請求項３に記載のドラム式洗濯乾燥機。
【請求項５】
操作部から指示が入力されると、前記モータを駆動して前記リントフィルタを移動させることを特徴とする請求項３に記載のドラム式洗濯乾燥機。
【請求項６】
前記駆動機構は、使用者が回転させる回転部を備え、前記回転部の回転により前記リントフィルタを移動させることを特徴とする請求項２に記載のドラム式洗濯乾燥機。
【請求項７】
平面状のフィルタの両端部を接合して環状のリントフィルタを形成する連結部と、前記連結部を検出する検出部を備えることを特徴とする請求項２〜５のいずれか１項に記載のドラム式洗濯乾燥機。
【請求項８】
前記清掃手段の下方に配設され前記清掃手段が回収したリントを受ける受け皿を備え、
前記リントフィルタは、前記リントフィルタの上面から回収したリントを前記受け皿へ排出する前記穴部を備えることを特徴とする請求項２〜７のいずれか１項に記載のドラム式洗濯乾燥機。
【請求項９】
前記清掃手段が回収したリントを外部から視認する透視窓を備えることを特徴とする請求項１〜８のいずれか１項に記載のドラム式洗濯乾燥機。
【発明の詳細な説明】
【技術分野】
【０００１】
本発明の実施形態はドラム式洗濯乾燥機に関する。
【背景技術】
【０００２】
ドラム式洗濯乾燥機は、水槽内に配設され回転ドラムが、モータなどのドラム駆動手段によって回転駆動されるように構成されており、水槽内への給排水や回転ドラムの回転を制御することにより、洗濯物出入口から回転ドラム内に投入された洗濯物に対して洗い、すすぎ、脱水、及び乾燥の各運転を行うようになっている。
【０００３】
乾燥運転では、水槽外部の循環風路内に設けられた送風機と除湿用の吸熱器と加熱用の熱源とを駆動することで、水槽内の空気を、吸気口から循環風路内に取り込み循環風路内の流通中に吸熱器及び熱源により除湿及び加熱した後、排気口から水槽内に戻すように構成されている。これにより、乾燥運転では、回転ドラム内の洗濯物から湿気を奪った空気が、吸気口から循環風路内で除湿及び加熱された後、排気口から水槽内に戻され、これを繰り返すことで、回転ドラム内の洗濯物を乾燥させる。
【０００４】
このようなドラム式洗濯乾燥機では、乾燥運転の実行に伴って洗濯物から発生する糸くず等のリントが、水槽内の空気と共に循環風路内に取り込まれ送風機や吸熱器や熱源等に堆積するのを防ぐため、循環風路内における送風機や吸熱器や熱源等の上流側にリントを捕獲するリントフィルタを設けるものが知られている（例えば、下記特許文献１参照）。
【０００５】
しかしながら、使用者がそのリントフィルタを定期的に掃除しなければ、リントフィルタが目詰まりして乾燥性能が不安定になるだけでなく、リントフィルタに蓄積されたリントの一部がリントフィルタを通過して、下流の蒸発器（除湿手段）や凝縮器（加熱手段）に付着する場合がある。特に蒸発器や凝縮器にリントが付着すると、使用者による掃除は困難であり、これが進むと循環空気量が減少して乾燥性能の低下を招くことになる。
【先行技術文献】
【特許文献】
【０００６】
【特許文献１】特開２００６−５５３８１号公報
【発明の概要】
【発明が解決しようとする課題】
【０００７】
そこで、リントフィルタで捕獲したリントを十分に除去することができ、乾燥性能の低下を防止することができるドラム式洗濯乾燥機を提供することを目的とする。
【課題を解決するための手段】
【０００８】
本発明に係るドラム式洗濯乾燥機は、内部に衣類を収容する乾燥室と、前記乾燥室に設けられた吸気口及び排気口を連結する循環風路と、前記乾燥室内の空気を前記循環風路を通して循環させる送風手段と、前記循環風路内を流れる空気の除湿を行う除湿手段と、前記循環風路内の空気を加熱する加熱手段と、前記循環風路内を流れるリントを捕獲する面状のリントフィルタと、前記リントフィルタを清掃する清掃手段と、前記リントフィルタで捕獲したリントを前記清掃手段が回収するように前記リントフィルタを前記清掃手段に対して移動させる駆動機構とを備えることを特徴とする。
【図面の簡単な説明】
【０００９】
【図１】第１実施形態に係る衣類乾燥機の前方からの斜視図である。
【図２】衣類乾燥機の内部構成を概略的に示す断面図である。
【図３】衣類乾燥機の内部構成概略的に示す背面図である。
【図４】フィルタユニットの斜視図である。
【図５】リントフィルタの展開図である。
【図６】衣類乾燥機の要部拡大断面図である。
【図７】第２実施形態に係る衣類乾燥機の要部拡大断面図である。
【図８】第２実施形態に係る衣類乾燥機のフィルタユニットに蓋体を取り付けた状態を示す斜視図である。
【発明を実施するための形態】
【００１０】
（第１実施形態）
以下、本発明の第１実施形態について、図面を参照して説明する。
【００１１】
本実施形態のドラム式洗濯乾燥機（以下、洗濯機という）は、図１に示すように、ほぼ矩形箱状の外箱１と、その下部に設けられた台板２とから外郭が構成されている。外箱１の前面部１ａには前上がりの傾斜状をなしており、そのほぼ中央部に円形の開口部からなる洗濯物出入口３が形成されている。外箱１の前面部１ａには、ヒンジを介して扉４が横方向に回動可能に設けられ、その扉４により洗濯物出入口３が開閉される。前面部１ａにおける洗濯物出入口３の上方位置には、洗濯機の各種操作を設定したり運転状況を表示する操作表示パネル６が設けられ、その操作表示パネル６の側方に引き出し式の洗剤投入ケース７が設けられている。
【００１２】
外箱１内には、図２に示すように、前面が開口し後面が閉塞されたほぼ円筒状の水槽８が配設されている。この水槽８は、前面の開口部が洗濯物出入口３に連通するように、水槽８の軸方向が前後方向の横軸状態であって後下がりにやや傾斜した状態で台板２上に弾性支持機構を介して弾性的に支持されている。水槽８は、給水弁を介して水槽８の上部に設けられた給水口より水道水等の水が機外から供給され、水槽８の底部に設けられた排水口より排水弁を介して水槽８内の水を機外へ排水できるように構成されている。また、水槽８は、前面の開口部や給水口や排水口以外に、前部の上面に吸気口１０と、後部の背面の上部に排気口１１が設けられている。
【００１３】
水槽８内には、前面が開口し後面が閉塞された円筒状の回転ドラム１４が回転可能に配設されている。回転ドラム１４は、その軸方向が前後方向の横軸状態であって後下がりにやや傾斜した状態で水槽８内に配設されている。回転ドラム１４の周壁には通水及び通風が可能な孔１５が多数形成されており、この孔１５によって回転ドラム１４の内部が水槽８と連通している。回転ドラム１４の前面開口部も洗濯物出入口３に連通しており、回転ドラム１４は洗濯物出入口３から投入される洗濯物を収容する。回転ドラム１４は、水槽８の背面に設けられたドラムモータ１７により回転駆動される。このような構成の回転ドラム１４は、洗い行程時には洗濯槽として、脱水行程時には脱水槽として、さらに乾燥運転時には乾燥槽として機能する。
【００１４】
図２及び図３に示すように、水槽８に設けられた吸気口１０及び排気口１１には、循環風路２０が連通接続されており、この循環風路２０を通して水槽８（回転ドラム１４）内の空気を循環可能としている。循環風路２０は、水槽８の吸気口１０に接続された還風ダクト２４と、水槽８の排気口１１に接続された給風ダクト３０と、還風ダクト２４の端部と給風ダクト３０の端部とを接続する熱交換ダクト２２とを備える。
【００１５】
還風ダクト２４は、水槽８の上方に配置される上部ダクト２３と、上部ダクト２３の後端部から下方に折れ曲がり水槽８の後部に配置される下部ダクト２５とを備え、上部ダクト２３が、吸気口１０に接続される可撓性継手２６と、可撓性継手２６の下流側に接続されたフィルタ収納部２７と、フィルタ収納部２７から後方へ向けて延びる後延長部２８とを備える。
【００１６】
可撓性継手２６は、吸気口１０に接続された状態で、吸気口１０から上方へ向けて延びた後、折れ曲がって後方へ延びるほぼＬ字状をなしており、可撓性継手２６の後端部がフィルタ収納部２７の前壁に設けられた接続口２７ａに接続されている。
【００１７】
フィルタ収納部２７は上面に開口する矩形筒状をなしており、外箱１の天板部１ｂに設けられた開口部１ｃと上下に連通している。この開口部１ｃを介して後述するフィルタユニット５０が上方からフィルタ収納部２７内に出し入れ可能に収容される。外箱１の天板部１ｂに設けた開口部１ｃは、開閉可能な蓋体１ｄによって閉塞されている。この蓋体１ｄの少なくとも一部は、透明な板体で構成された透視窓１ｅを構成しており、外箱１の外部から透視窓１ｅを通してフィルタ収納部２７に収納されたフィルタユニット５０を視認することができる。
【００１８】
後延長部２８は、一端がフィルタ収納部２７の底面及び後面に接続され、他端が水槽８の後部に配置される下部ダクト２５の上端部と連結されており、フィルタ収納部２７を通過した空気は、フィルタ収納部２７の底面及び後面から後延長部２８に進入した後、下部ダクト２５へ流れ込む。
【００１９】
熱交換ダクト２２は、水槽８の下方に位置する台板２上に載置されており、その内部に蒸発器３４と、蒸発器３４から熱交換ダクト２２の下流側へ離間して配置された凝縮器３５と、循環風路２０を通じて水槽８内の空気を循環供給する送風機３６とが配設されている。
【００２０】
蒸発器３４及び凝縮器３５は、冷媒流通パイプに伝熱フィンを所定ピッチで多数配設して成るフィン付きチューブ形のもので、送風機３６の送風作用にて水槽８内の空気が、図３に矢印で示すように循環風路２０内を流れ、蒸発器３４及び凝縮器３５の伝熱フィンの各間を流通する。
【００２１】
蒸発器３４及び凝縮器３５は、凝縮器３５に供給する冷媒を圧縮する圧縮機３７、凝縮器３５から吐出された冷媒を減圧する流量制御弁からなる減圧手段３８とともにヒートポンプ３９を構成し、圧縮機３７の作動により冷媒がヒートポンプ３９内を循環することで、蒸発器３４は熱交換ダクト２２内を流れる空気を冷却し除湿し、凝縮器３５は蒸発器３４で除湿された空気を加熱する。圧縮機３７と減圧手段３８は、熱交換ダクト２２の外部に配設されている。
【００２２】
このような構成の洗濯機において、上部ダクト２３のフィルタ収納部２７に収納されるフィルタユニット５０は、図４〜図６に示すように、互いに間隔をあけて平行に配置された左右一対の側壁５２と、一対の側壁５２に対して回転自在に設けられた複数のローラ軸５４と、一対の側壁５２の対向面を繋ぐように設けられた上方に開口する受け皿５６と、ローラ軸５４に掛け渡されたリントフィルタ５８と、リントフィルタ５８を清掃する清掃手段６０ａ、６０ｂと、リントフィルタ５８を移動させる駆動機構６２を備える。
【００２３】
リントフィルタ５８は、図５に示すような平面状をなしており、複数のローラ軸５４の周囲に掛け渡され、長手方向の両端部を連結され環状に設けられている。より具体的には、リントフィルタ５８は、左右側縁部に設けられた一対のベルト部６４と、一対のベルト部６４を繋ぐ面状のフィルタ部６６と、ベルト部６４の長手方向にフィルタ部６６を分断する穴部６８と、ベルト部６４の側面から側方へ毛束が延びる刷毛部７２を備え、ベルト部６４の長手方向の両端部が連結部７０により連結され環状に設けられている。
【００２４】
この例では、図６に示すように、リントフィルタ５８は、前部が下方に凹んだ段状にローラ軸５４に掛け渡され、リントフィルタ５８の前方上部にフィルタ収納部２７の前壁に設けられた接続口２７ａに対向する導入空間Ｈが形成され、導入空間Ｈの下方においてリントフィルタ５８が、接続口２７ａの下方に位置するフィルタ収納部２７の前壁下部２７ｂに近接している。
【００２５】
フィルタ収納部２７の前壁下部２７ｂには、リントフィルタ５８の両端部を連結する連結部７０が前壁下部２７ｂの近傍を通過することを検知する位置検出センサ７４が設けられている。位置検出センサ７４は、例えば、連結部７０に設けられた磁性体の磁界をを検出する近接センサなどを用いることができる。
【００２６】
また、ベルト部６４の長手方向の両端部は、フィルタ部６６より突出しており、連結部７０によって環状に連結されたリントフィルタ５８は、連結部７０の位置にもフィルタ部６６を分断する穴部６８が形成されている。つまり、環状に形成されたリントフィルタ５８には、２つの穴部６８が形成されている。
【００２７】
一対の側壁５２に対向するベルト部６４の側面に設けられた刷毛部７２は、ローラ軸５４に掛け渡された状態で、一対の側壁５２に摺接し側壁５２とベルト部６４と隙間を塞いでいる。
【００２８】
ローラ軸５４の少なくとも１つは、フィルタユニット５０をフィルタ収納部２７に収納するとフィルタ収納部２７の近傍に設けられたモータを備えた駆動機構６２に連結され、駆動機構６２から動力を受けて回転する（図６参照）。ローラ軸５４が回転するとローラ軸５４とリントフィルタ５８のベルト部６４との摩擦力によってリントフィルタ５８が長手方向に移動して複数のローラ軸５４の周囲を循環移動する。
【００２９】
受け皿５６は、一対の側壁５２を繋ぐ前後壁５７ａ，５７ｂと底面５７ｃとから構成され、導入空間Ｈの後方におけるリントフィルタ５８の内側（下方）に配置され、循環移動するリントフィルタ５８が受け皿５６の上面開口部の上方を通過するようになっている。
【００３０】
フィルタ収納部２７の開口部１ｃを閉塞する蓋体１ｄの下面には、受け皿５６の前後壁５７ａ，５７ｂの上面に向けて下方へ突出する前後一対の仕切壁１ｆ，１ｇが設けられている。前後の仕切壁１ｆ，１ｇの下面は、リントフィルタ５８が通過する間隔を残して受け皿５６の前後壁５７ａ，５７ｂの上面に対向しており、受け皿５６の前後壁５７ａ，５７ｂと蓋体１ｄの仕切壁１ｆ，１ｇとでリントフィルタ５８のフィルタ部６６に捕獲したリントを回収する清掃空間Ｓが形成されている。この清掃空間Ｓの上方位置には上記した透視窓１ｅが設けられており、蓋体１ｄでフィルタ収納部２７を閉塞した状態で外部から清掃空間Ｓ内が視認できるようになっている。
【００３１】
受け皿５６の底面５７ｃと蓋体１ｄの下面には、上下に対向する位置に上下一対の清掃手段６０ａ，６０ｂが設けられている。具体的には、上下の清掃手段６０ａ，６０ｂは、いずれもブラシから構成され、リントフィルタ５８の移動方向の下流側に寄せて（本実施形態では、後壁５７ｂ及び仕切壁１ｇに寄せて）清掃空間Ｓ内に設けられている。受け皿５６の底面５７ｃに設けられた下方の清掃手段６０ａは、リントフィルタ５８の下面に摺接し、蓋体１ｄの下面に設けられた上方の清掃手段６０ｂは、リントフィルタ５８の上面に摺接しており、清掃空間Ｓ内において、上下の清掃手段６０ａ，６０ｂがリントフィルタ５８を循環移動可能に上下から挟み込んでいる。
【００３２】
本実施形態の洗濯機には、マイクロコンピュータを備えた制御装置（不図示）が設けられており、この制御装置が、操作表示パネル６の入力信号や位置検出センサ７４や予め備えた制御プログラムに基づき、図示しない給水弁や排水弁、ドラムモータ１７、送風機３６、圧縮機３７、駆動機構６２などを制御することで、洗濯運転、乾燥運転、およびリント回収運転を実行する。
【００３３】
次に、上記構成の洗濯機の動作の一例を説明する。
【００３４】
まず、洗濯機の概略的な動作について説明する。使用者により操作表示パネル６の操作ボタンが操作されて運転のコースが設定され、運転開始が指示されると、洗濯機は、設定された運転のコースに応じた洗濯運転、乾燥運転、或いはその両運転を続けて行う洗濯乾燥運転を実行する。ここでは、洗濯運転及び洗濯乾燥運転については説明を省略し、乾燥運転とリント回収運転について説明する。
【００３５】
乾燥運転では、ドラムモータ１７を作動させ、湿った衣類が収容された回転ドラム１４を低速で正逆両方向に回転させつつ、回転ドラム１４内に温風を供給する動作が行われる。
【００３６】
回転ドラム１４内に温風を供給する動作は、送風機３６を駆動するとともに、圧縮機３７を駆動してヒートポンプ３９を動作させることで行われる。具体的には、圧縮機３７を駆動することによりヒートポンプ３９に封入された冷媒が圧縮されて高温高圧の冷媒となり、その高温高圧の冷媒が凝縮器３５に流れて、熱交換ダクト２２内の空気と熱交換する。その結果、熱交換ダクト２２内の空気は加熱され、冷媒は冷却され液化する。この液化された冷媒が、次に、減圧手段３８を通って減圧された後、蒸発器３４に流入し気化することで、蒸発器３４は熱交換ダクト２２内の空気を冷却する。蒸発器３４を通過した冷媒は圧縮機３７に戻り、再び圧縮されて高温高圧の冷媒となる。
【００３７】
上記したヒートポンプ３９及び送風機３６の動作によって、水槽８内から回転ドラム１４内へ進入した空気は、衣類を乾燥させることにより水分を含んだ状態となり、この湿った空気が吸気口１０から還風ダクト２４を通って熱交換ダクト２２内に流入した後、蒸発器３４で冷却されて除湿され、その後に凝縮器３５で加熱されて温風化される。
【００３８】
凝縮器３５で加熱された温風は、給風ダクト３０を経て排気口１１から水槽８内に供給され、更に、孔１５から回転ドラム１４内に供給される。回転ドラム１４内に供給された温風は、衣類の水分を奪って衣類を乾燥させた後、再び、吸気口１０から還風ダクト２４を経て熱交換ダクト２２内に流入するように循環する。
【００３９】
乾燥運転時に水槽８及び循環風路２０を循環する温風は、吸気口１０から還風ダクト２４の上部ダクト２３を流れる際に、フィルタ収納部２７に収納されたフィルタユニット５０のリントフィルタ５８を通過する。
【００４０】
詳細には、吸気口１０から還風ダクト２４の可撓性継手２６に吸い込まれた空気は、接続口２７ａからフィルタ収納部２７の導入空間Ｈに流れ込み、導入空間Ｈの背面と底面を構成するリントフィルタ５８のフィルタ部６６の上流側部分６６ａを通過して環状のリントフィルタ５８の内側に進入し、フィルタユニット５０の底面及び背面を構成するフィルタ部６６の下流側部分６６ｂを通過してフィルタ収納部２７の後方に設けられた後延長部２８へ流れ込む。このように乾燥運転時に空気が水槽８及び循環風路２０を循環しながらフィルタユニット５０のリントフィルタ５８を通過することで、乾燥運転において洗濯物から発生したリントをリントフィルタ５８のフィルタ部６６にて捕獲する。
【００４１】
なお、乾燥運転時において、フィルタ収納部２７に収納されたフィルタユニット５０のリントフィルタ５８は、２つの穴部６８の一方が清掃空間Ｓ内に配置され、他方の穴部６８がフィルタ収納部２７の前壁下部２７ｂに対向する位置に配置されている。
【００４２】
乾燥運転が終了すると、洗濯機は、駆動機構６２の動作によりローラ軸５４を回転させてリント回収運転を実行する。このリント回収運転では、ローラ軸５４の回転に伴って、環状のリントフィルタ５８が、複数のローラ軸５４の周囲を循環するように移動して、フィルタユニット５０の受け皿５６と蓋体１ｄの下面に設けられた清掃手段６０ａ，６０ｂに対して移動する。リントフィルタ５８のフィルタ部６６の上下面には清掃手段６０ａ，６０ｂがそれぞれ摺接しているため、清掃手段６０ａ，６０ｂに対してリントフィルタ５８が移動することで、リントフィルタ５８のフィルタ部６６で捕獲したリントを清掃手段６０ａ，６０ｂが掻き取って集める。フィルタユニット５０の受け皿５６に設けられた清掃手段６０ａがフィルタ部６６の下面から掻き取ったリントは、ある程度集まると受け皿５６内に落ちて蓄積する。また、蓋体１ｄの下面に設けられた清掃手段６０ｂがフィルタ部６６の上面から掻き取ったリントは、フィルタ部６６の上面における清掃手段６０ｂの上流側に溜まり、リントフィルタ５８の穴部６８が清掃手段６０ｂの下方を通過する際に穴部６８を通って受け皿５６へ落ちて蓄積する。
【００４３】
そして、リントフィルタ５８が複数のローラ軸５４の周囲を一周して、リントフィルタ５８に設けられた一方の穴部６８が清掃空間Ｓ内に戻り、他方の穴部６８がフィルタ収納部２７の前壁下部２７ｂに対向する位置に戻ると、フィルタ収納部２７の前壁下部２７ｂに設けられた位置検出センサ７４が、リントフィルタ５８の両端部を連結する連結部７０を検出し、駆動機構６２を停止させてリント回収運転を終了する。
【００４４】
本実施形態の洗濯機では、リントフィルタ５８のフィルタ部６６で捕獲したリントが、清掃手段６０ａ，６０ｂによって掻き取られるため、リントフィルタ５８の目詰まりを防止して乾燥性能の低下を押さえることができる。しかも、清掃手段６０ａ，６０ｂが回収したリントは、受け皿５６に蓄積されており簡単に除去することができる。
【００４５】
本実施形態では、平面状のリントフィルタ５８の両端部を連結部７０で連結して環状に設けているためリントフィルタ５８を製造しやすい。しかも、位置検出センサ７４が連結部７０を検出することで、リントフィルタ５８の移動方向における位置を検出することができるため、所望の位置でリントフィルタ５８を停止させることができる。
【００４６】
本実施形態では、蓋体１ｄに透視窓１ｅが設けられており、蓋体１ｄでフィルタ収納部２７を閉塞した状態で外部から清掃空間Ｓ内が視認できるようになっているため、蓋体１ｄを開放しなくても清掃手段６０ａ，６０ｂが回収したリントを視認することができ、清掃手段６０ａ，６０ｂが回収したリントを使用者が除去し忘れるのを防ぐことができる。
【００４７】
なお、本実施形態では、乾燥運転の後に続けてリント回収運転を実行する場合について説明したが、例えば、次回の洗濯機の起動時や次回の乾燥運転の実行前など乾燥運転に対応させてその都度リント回収運転を実行してもよく、また、例えば、操作表示パネル６に設けた操作ボタン６ａ（図１参照）が使用者により操作され、リント回収運転が設定された時にリント回収運転を実行してもよい。乾燥運転に対応させてその都度リント回収運転を実行することで、常にリントフィルタ５８が清掃された状態で乾燥運転を行うことができ、より確実に乾燥性能の低下を押さえることができる。また、使用者による操作ボタン６ａの操作を受けてリント回収運転を実行することで、リントフィルタ５８へのリントの付着状況に応じてリント回収運転を実行することができる。
【００４８】
（第２の実施形態）
次に、本発明の第２の実施形態について図７及び図８を参照して説明する。
【００４９】
本実施形態は、使用者が回転させる回転部７６の回転によりフィルタ収納部２７に収納されたフィルタユニット５０のリントフィルタ５８を循環移動させる点で上記した第１実施形態と相違し、その他の構成は第１の実施形態と同様の構成を備えている。以下、第１の実施形態との相違点についてのみ説明する。
【００５０】
回転部７６は、左右一対の円板状のローラから構成されている。この回転部７６は、蓋体１ｄを貫通して上部が蓋体１ｄから上方に突出し、下部が清掃空間Ｓに収納されている。回転部７６の下端部は、リントフィルタ５８のベルト部６４の上面に当接し、受け皿５６に設けられた下支持体７８との間でベルト部６４を上下に挟持している。一対の回転部７６は、蓋体１ｄの下面に設けられた軸受に回転可能に保持された回転軸８２で連結されている。
【００５１】
本実施形態では、使用者が回転部７６を回転させると、回転部７６とリントフィルタ５８のベルト部６４との摩擦力によってリントフィルタ５８が長手方向に移動して複数のローラ軸５４の周囲を循環移動する。そして、リントフィルタ５８が複数のローラ軸５４の周囲を一周すると、使用者が回転部７６の回転を中止してリント回収行程を終了する。  このような本実施形態では、リントフィルタ５８を移動させるモータや位置検出センサなどの電気部品が不要となり構造を簡単化することができ製造コストを抑えることができる。なお、その他の構成及び作用効果は第１の実施形態と同様であり、詳細な説明は省略する。
【００５２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５３】
図面中、１ｃは開口部、１ｄは蓋体、１ｅは透視窓、８は水槽、１０は吸気口、１１は排気口、１４は回転ドラム、２０は循環風路、２２は熱交換ダクト、２３は上部ダクト、２４は還風ダクト、２５は下部ダクト、２６は可撓性継手、２７はフィルタ収納部、２７ａは接続口、２７ｂは前壁下部、３４は蒸発器、３５は凝縮器、３６は送風機、３７は圧縮機、３８は減圧手段、３９はヒートポンプ、５０はフィルタユニット、５２は側壁、５４はローラ軸、５６は受け皿、５８はリントフィルタ、６０ａ，６０ｂは清掃手段、６２は駆動機構、６４はベルト部、６６はフィルタ部、６８は穴部、７０は連結部、７２は刷毛部、７４は位置検出センサを示す。
【図１】
2015002847.tif 000003
【図２】
2015002847.tif 000004
【図３】
2015002847.tif 000005
【図４】
2015002847.tif 000006
【図５】
2015002847.tif 000007
【図６】
2015002847.tif 000008
【図７】
2015002847.tif 000009
【図８】
2015002847.tif 000010